(57)【要約】【課題】単純にモノクロ画像を得るための通常の読み取り動作と同じ速度で、読み取った原稿画像からドロップアウトカラー画像を正確に除去する。【解決手段】原稿画像の読み取り動作に際して、原稿画像と光源部とが副走査方向に主走査方向の１ライン分に相当する距離を相対移動する毎に、光源部から発光する光の色を、ドロップアウトカラーに基づいて指定された発光色で指定された発光順序にしたがって切り替え、各発光色で露光された原稿からの反射光を受光部における各受光素子で受光し、受光した画像光に応じて出力素子から出力される出力信号に基づいて、指定されたドロップアウトカラーによって形成された画像を除去したモノクロ画像を生成する際に、発光色の切り替えに応じて、出力素子が出力する出力信号の出力タイミングを出力素子毎に調整するようにした。【選択図】    図１５
2004328159.tif 000002
【特許請求の範囲】
【請求項１】
原稿画像に対して複数色の光を選択的に発光する光源部と、
前記原稿画像と前記光源部とを副走査方向に沿って相対的に移動させる移動装置と、
主走査方向に沿ってライン状に配列された複数の受光素子を備え、前記移動装置による前記原稿画像と前記光源部との相対移動に際して前記原稿画像から反射される光を画像光として主走査方向に１ライン分ずつ受光する受光部と、
ドロップアウトカラーを指定するドロップアウトカラー指定手段と、
前記ドロップアウトカラー指定手段が指定したドロップアウトカラーに基づいて前記光源部からの発光色と該発光色の発光順序とを指定する順序指定手段と、
前記原稿画像と前記光源部とが副走査方向に沿って主走査方向の１ライン分に相当する距離を相対移動する毎に、前記順序指定手段が指定する発光色の光を指定された発光順序にしたがって切り替える発光色切替手段と、
前記発光色切替手段が切り替えた発光色毎に前記受光部が受光した画像光に応じた出力信号を前記受光素子毎に出力する出力素子と、
前記出力素子が出力する出力信号に基づいて、前記ドロップアウトカラー指定手段が指定したドロップアウトカラーによって形成された画像を除去したモノクロ画像を生成するモノクロ画像生成手段と、
前記発光色切替手段による発光色の切り替えタイミングに応じて、前記出力素子が出力する出力信号の出力タイミングを前記出力素子毎に調整する出力タイミング制御手段と、
を具備する画像読取装置。
【請求項２】
前記出力素子は、波形信号に基づき出力信号を出力し、
前記出力タイミング制御手段は、前記出力素子に出力信号を出力させる波形信号の位相を前記出力素子毎に異ならせることで前記出力素子が出力する画像光の出力タイミングを前記出力素子毎に調整する請求項１記載の画像読取装置。
【請求項３】
前記モノクロ画像生成手段が生成するモノクロ画像の解像度として高解像度またはこの高解像度よりも低い低解像度を選択的に設定する解像度設定手段を具備し、
前記出力タイミング調整手段は、前記解像度設定手段により高解像度設定がなされている場合には全ての前記出力素子に対して同じタイミングで出力信号を出力させ、前記解像度設定手段により低解像度設定がなされている場合には、異なる複数の発光色で露光された画像光を加色混合した出力信号と単一の発光色で露光された画像光に応じた出力信号とを出力させるように前記出力素子毎に出力信号の出力タイミングを異ならせる請求項１または２記載の画像読取装置。
【請求項４】
前記順序指定手段は、前記原稿画像と前記光源部とが副走査方向に沿って主走査方向の１ライン分に相当する距離を相対移動する間に、異なる複数色の光が発光されるように前記光源部からの発光色と該発光色の発光順序とを指定し、
前記発光色切替手段は、前記原稿画像と前記光源部とが副走査方向に沿って主走査方向の１ライン分に相当する距離を相対移動する間に、異なる複数色の光が発光されるように前記順序指定手段が指定する発光色の光を指定された発光順序にしたがって切り替える請求項１，２または３記載の画像読取装置。
【請求項５】
前記出力素子からの出力信号値と出力画像のγ値に関する補正出力信号値とを対応付けたγ補正値データ群を複数記憶する補正値記憶手段と、
前記出力素子からの出力信号値の所定閾値に対する大小に応じて一の前記γ補正値データ群を参照し、前記出力素子からの出力信号値に応じた補正出力信号値を取得するγ補正値取得手段と、
を具備し、
前記モノクロ画像生成手段は、前記γ補正値取得手段が取得した補正出力信号値に基づいて、前記ドロップアウトカラー指定手段が指定したドロップアウトカラーによって形成された画像を除去したモノクロ画像を生成する請求項１，２、３または４記載の画像読取装置。
【請求項６】
請求項１ないし５のいずれか一に記載の画像読取装置と、
前記画像読取装置で読み取ったモノクロ画像データに基づく画像を記録媒体に形成する画像形成装置と、
を具備する複写装置。
【発明の詳細な説明】
【０００１】
【発明の属する技術分野】
本発明は、画像読取装置および複写装置に関する。
【０００２】
【従来の技術】
光学式文字読取装置（ＯＣＲ：Ｏｐｔｉｃａｌ  Ｃｈａｒａｃｔｅｒ  Ｒｅａｄｅｒ）等の画像読取装置では、文字に加えて、着色された枠線が形成された画像を原稿として読み取ることがある。このような原稿には、例えば、帳簿等のように、画像読取装置が読み取らない色、いわゆる、ドロップアウトカラーで枠線が着色されているものがある。
【０００３】
枠線がドロップアウトカラーで形成された原稿の読み取りに際しては、ドロップアウトカラーで形成された画像が除去されて、ドロップアウトカラー以外の色で形成された文字のみが抽出される。
【０００４】
このようなドロップアウトカラー画像の除去を行なう画像読取装置としては、例えば、それぞれが異なる色の光を発光する複数の光源部を具備し、指定されたドロップアウトカラーに基づいて各光源部からの発光量の割合を調整して加色混合した光を原稿に照射し、原稿からの反射光から画像データを得ることで、ドロップアウトカラー画像の除去を行なうようにした技術がある（例えば、特許文献１参照）。このような技術によれば、多様なドロップアウトカラーを指定することができるとともに、原稿の読取処理を高速化することができる。
【０００５】
また、ドロップアウトカラー画像の除去を行なう画像読取装置としては、複数色の光を選択的に切り替えて発光する照明光源部を具備し、原稿画像の読み取りに際しては、照明光源部から発光する光の色を各色（Ｒ，Ｇ，Ｂ）に切り替えることで複数色（３色）の画像を読み取り、読み取った画像から指定されたドロップアウトカラーで形成された画像を除去するようにした画像読取装置がある（例えば、特許文献２参照）。
【０００６】
加えて、読み取った画像データにおけるＲＧＢの閾値を規定値と比較し、この規定値に対する閾値の大小に応じて黒色で形成された文字と黒色以外の色で形成された枠線とを分離し、分離された文字を認識するようにした帳票処理方法がある（例えば、特許文献３参照）。
【０００７】
【特許文献１】
特開平８−１７２５４２号公報
【特許文献２】
特開２０００−２９５４２３公報
【特許文献３】
特開平１０−１８７８８２号公報
【０００８】
【発明が解決しようとする課題】
ところで、加色混合を用いた原稿の読み取りに際してのカラーレスポンスは、各色の発光比率によって決定される。
【０００９】
このため、上述した特許文献１に記載された技術のように、指定されたドロップアウトカラーに基づいて各光源部からの発光量の割合を調整して加色混合した光を原稿に照射し、原稿からの反射光から画像データを得ることで、ドロップアウトカラーで形成された画像を原稿の読み取りに際して除去するようにした画像読取装置では、図２１に示すように、ラインセンサの画素間での各色の出力比が異なる場合に、指定されたドロップアウトカラーの画像を除去しきれないことがある。
【００１０】
また、上述した特許文献２に記載された技術のように、複数色の光を選択的に切り替えて発光する照明光源部を具備し、原稿画像の読み取りに際しては、照明光源部から発光する光の色を各色（Ｒ，Ｇ，Ｂ）に切り替えることで複数色（３色）の画像を読み取り、指定されたドロップアウトカラーに基づいて読み取った画像からドロップアウトカラーで形成された画像を除去するようにした画像読取装置では、照明光源部から発光する光の色を切り替える毎に各色の画像を読み取るため、モノクロでの画像の読み取りと比較して３倍の読み取り時間を要することとなる。
【００１１】
加えて、上述した特許文献３に記載された技術のように、読み取った画像データにおけるＲＧＢの閾値を規定値と比較することにより、この規定値に対する閾値の大小に応じて黒色で形成された文字と黒色以外の色で形成された枠線とを分離し、分離された文字を認識するようにした帳票処理方法では、黒色の文字のみを分離可能としている。しかしながら、枠線以外にも文字が着色されていることも考えられる。
【００１２】
本発明の目的は、単純にモノクロ画像を得るための通常の読み取り動作と同じ速度で、読み取った原稿画像からドロップアウトカラー画像を正確に除去することである。
【００１３】
【課題を解決するための手段】
請求項１記載の発明の画像読取装置は、原稿画像に対して複数色の光を選択的に発光する光源部と、前記原稿画像と前記光源部とを副走査方向に沿って相対的に移動させる移動装置と、主走査方向に沿ってライン状に配列された複数の受光素子を備え、前記移動装置による前記原稿画像と前記光源部との相対移動に際して前記原稿画像から反射される光を画像光として主走査方向に１ライン分ずつ受光する受光部と、ドロップアウトカラーを指定するドロップアウトカラー指定手段と、前記ドロップアウトカラー指定手段が指定したドロップアウトカラーに基づいて前記光源部からの発光色と該発光色の発光順序とを指定する順序指定手段と、前記原稿画像と前記光源部とが副走査方向に沿って主走査方向の１ライン分に相当する距離を相対移動する毎に、前記順序指定手段が指定する発光色の光を指定された発光順序にしたがって切り替える発光色切替手段と、前記発光色切替手段が切り替えた発光色毎に前記受光部が受光した画像光に応じた出力信号を前記受光素子毎に出力する出力素子と、前記出力素子が出力する出力信号に基づいて、前記ドロップアウトカラー指定手段が指定したドロップアウトカラーによって形成された画像を除去したモノクロ画像を生成するモノクロ画像生成手段と、前記発光色切替手段による発光色の切り替えタイミングに応じて、前記出力素子が出力する出力信号の出力タイミングを前記出力素子毎に調整する出力タイミング制御手段と、を具備する。
【００１４】
したがって、原稿画像の読み取り動作に際しては、原稿画像と光源部とが副走査方向に主走査方向の１ライン分に相当する距離を相対移動する毎に、光源部から発光する光の色を、ドロップアウトカラーに基づいて指定された発光色で指定された発光順序にしたがって切り替える。そして、各発光色で露光された原稿からの反射光を受光部における各受光素子で受光し、受光した画像光に応じて出力素子から出力される出力信号に基づいて、指定されたドロップアウトカラーによって形成された画像を除去したモノクロ画像を生成する。ここで、出力タイミング制御手段によって、発光色切替手段による発光色の切り替えに応じて、出力素子が出力する出力信号の出力タイミングを出力素子毎に調整することで、例えば、異なる複数の発光色で露光された画像光を加色混合した出力信号を出力素子から出力したり、単一の発光色で露光された画像光に応じた出力信号を出力したりすることができる。加色混合された出力信号からは輝度情報を得ることができ、単一の発光色で露光された画像光に応じた出力信号からは色情報を得ることができるので、単純にモノクロ画像を得るための通常の読み取り動作と同じ速度で、読み取った原稿画像からドロップアウトカラー画像を正確に除去することができる。
【００１５】
請求項２記載の発明は、請求項１記載の画像読取装置において、前記出力素子は、波形信号に基づき出力信号を出力し、前記出力タイミング制御手段は、前記出力素子に出力信号を出力させる波形信号の位相を前記出力素子毎に異ならせることで前記出力素子が出力する画像光の出力タイミングを前記出力素子毎に調整する。
【００１６】
したがって、実用上容易かつ正確に出力素子が出力する画像光の出力タイミングを出力素子毎に調整することができる。
【００１７】
請求項３記載の発明は、請求項１または２記載の画像読取装置において、前記モノクロ画像生成手段が生成するモノクロ画像の解像度として高解像度またはこの高解像度よりも低い低解像度を選択的に設定する解像度設定手段を具備し、前記出力タイミング調整手段は、前記解像度設定手段により高解像度設定がなされている場合には全ての前記出力素子に対して同じタイミングで出力信号を出力させ、前記解像度設定手段により低解像度設定がなされている場合には、異なる複数の発光色で露光された画像光を加色混合した出力信号と単一の発光色で露光された画像光に応じた出力信号とを出力させるように前記出力素子毎に出力信号の出力タイミングを異ならせる。
【００１８】
したがって、低解像度設定がなされている場合には、単純にモノクロ画像を得るための通常の読み取り動作と同じ速度であっても、異なる複数の発光色で露光された画像光を加色混合した出力信号と単一の発光色で露光された画像光に応じた出力信号とを出力させることができる。
【００１９】
請求項４記載の発明は、請求項１，２または３記載の画像読取装置において、前記順序指定手段は、前記原稿画像と前記光源部とが副走査方向に沿って主走査方向の１ライン分に相当する距離を相対移動する間に、異なる複数色の光が発光されるように前記光源部からの発光色と該発光色の発光順序とを指定し、前記発光色切替手段は、前記原稿画像と前記光源部とが副走査方向に沿って主走査方向の１ライン分に相当する距離を相対移動する間に、異なる複数色の光が発光されるように前記順序指定手段が指定する発光色の光を指定された発光順序にしたがって切り替える。
【００２０】
したがって、単一の発光色で露光された画像光を、原稿画像と光源部とが副走査方向に沿って主走査方向の１ライン分に相当する距離を相対移動する間に、複数色分得ることができる。
【００２１】
請求項５記載の発明は、請求項１，２、３または４記載の画像読取装置において、前記出力素子からの出力信号値と出力画像のγ値に関する補正出力信号値とを対応付けたγ補正値データ群を複数記憶する補正値記憶手段と、前記出力素子からの出力信号値の所定閾値に対する大小に応じて一の前記γ補正値データ群を参照し、前記出力素子からの出力信号値に応じた補正出力信号値を取得するγ補正値取得手段と、を具備し、前記モノクロ画像生成手段は、前記γ補正値取得手段が取得した補正出力信号値に基づいて、前記ドロップアウトカラー指定手段が指定したドロップアウトカラーによって形成された画像を除去したモノクロ画像を生成する。
【００２２】
したがって、原稿の地肌部分またはドロップアウトカラーで形成された画像であると判断される値を所定閾値に設定することにより、ドロップアウトカラーで形成された画像に対するγ補正とそれ以外の画像に対するγ補正とをそれぞれ別個に行うことができる。
【００２３】
請求項６記載の発明の複写装置は、請求項１ないし５のいずれか一に記載の画像読取装置と、前記画像読取装置で読み取ったモノクロ画像データに基づく画像を記録媒体に形成する画像形成装置と、を具備する。
【００２４】
したがって、請求項１ないし５のいずれか一に記載の画像読取装置によってドロップアウトカラー画像を除去したモノクロ画像データに基づく画像を、記録媒体に形成することができる。
【００２５】
【発明の実施の形態】
本発明の第１の実施の形態について図１ないし図１６を参照して説明する。本実施の形態は、画像読取装置としてフラットベッドタイプのスキャナ装置への適用例を示す。
【００２６】
まず、スキャナ装置の全体構成を概略的に説明する。図１は、本実施の形態のスキャナ装置を概略的に示す縦断側面図である。スキャナ装置１は、上面にコンタクトガラス２を備える筐体形状のスキャナハウジング３を有する。読み取り対象となる原稿Ｐは、図１中読取面を下向きにしてコンタクトガラス２上に載置される。スキャナハウジング３のコンタクトガラス２の近傍には、シェーディング補正に用いられる白基準板４が設けられている。なお、シェーディング補正については公知の技術であるため説明を省略する。
【００２７】
スキャナハウジング３内には、光源部５およびミラー６を搭載する第１キャリッジ７、ミラー８，９を搭載する第２キャリッジ１０が設けられている。第１，第２キャリッジ７，１０は、主走査方向を長手方向として配設され、副走査方向に沿って２：１の速度比で往復動自在に設けられている。原稿画像の読み取りを待機している場合の第１，第２キャリッジ７，１０は、図１中左端部位置のホームポジションに位置付けられている。
【００２８】
図１中では省略されているが、光源部５は、図２に示すように、Ｒ（赤）色を発光するＲ光源５Ｒ、Ｇ（緑）色を発光するＧ光源５Ｇ、Ｂ（青）色を発光するＢ光源５Ｂを備えている。詳細は後述するが、ドロップアウトカラー（ドロップアウトする色）の除去を含む原稿画像の読み取り動作を行なう場合、光源部５は、制御部２０（図３参照）によって駆動制御されて、Ｒ光源５Ｒ，Ｇ光源５ＧまたはＢ光源５Ｂのいずれか一つを選択的に発光させる。
【００２９】
スキャナハウジング３内には、第１，第２キャリッジ７，１０を副走査方向（図１中左右方向）に沿って往復動させるための移動装置としてのステッピングモータ１１が設けられている。
【００３０】
原稿画像の読み取り動作に際しては、光源部５における光源５Ｒ，５Ｇ，５Ｂの全てまたはいずれか一つを点灯させながら、ステッピングモータ１１により第１，第２キャリッジ７，１０を走行させることで、コンタクトガラス２上に載置された原稿画像を露光走査する。
【００３１】
この露光走査により原稿Ｐに照射された光は、原稿面で反射され、ミラー６，８，９によって反射され、結像レンズ１２を介して受光部としてのイメージセンサ１３に結像される。イメージセンサ１３は、複数の受光素子１３ａ，１３ｂを主走査方向に沿ってライン状に配列することにより構成されている。詳細は後述するが、イメージセンサ１３に結像された画像光は、光電変換されて光量に応じた電圧値を有する電圧信号に変換される。
【００３２】
次に、スキャナ装置１が備える各部の電気的接続について説明する。図３は、スキャナ装置１が備える各部の電気的接続を示すブロック図である。スキャナ装置１は、スキャナ装置１が備える各部を駆動制御する制御部２０を備えている。制御部２０は、バスライン２１に接続されており、このバスライン２１には読取部２２、通信部２３、操作部２４、符号化部２５およびメモリ２６が接続されている。
【００３３】
通信部２３は、例えば、図示しない外部装置との間でのデータ通信を自在とし、後述する画像処理部３２で各種画像処理を施したデジタル画像データを外部装置に出力したり、外部装置から送信される各種コマンドを受信したりする。
【００３４】
特に図示しないが、操作部２４は、後述するドロップアウトカラー画像の除去を含む読み取り動作に際してのドロップアウトカラーを指定するカラー選択キーや、画像の読み取り開始を宣言するスタートキーや、画像の読み取りに際してドロップアウト処理を行なうか否かを設定するドロップアウト処理設定キー等の各種操作キーを有している。
【００３５】
符号化部２５は、例えば、画像処理部３２で画像処理を施したデジタル画像データを通信部２３を介して外部装置に出力する場合に、該デジタル画像データを符号化により圧縮する。
【００３６】
メモリ２６は、後述する画像処理部３２で画像処理を施したデジタル画像データを記憶する図示しない画像メモリエリアを備えている。なお、メモリ２６の画像メモリエリアに記憶するデジタル画像データは、画像処理部３２で画像処理を施したそのままの形態で記憶してもよいし、符号化部２５によって圧縮した形態で記憶してもよい。
【００３７】
また、メモリ２６は、操作部２４におけるカラー選択キーの操作によってドロップアウトカラーが指定されると、指定されたドロップアウトカラーに基づくドロップアウトカラー情報を記憶する図示しないカラー記憶部を備えており、後述するドロップアウトカラー画像の除去を含む原稿画像の読み取り動作に際しては、カラー記憶部に記憶したドロップアウトカラー情報を読取部２２に出力する。
【００３８】
メモリ２６には、イメージセンサ１３からの出力信号値と読み取り画像のγ値に関する補正出力信号値とを対応付けたγ補正値データ群が格納されている。ここに、補正値記憶手段としての機能が実現されている。γ補正値データ群は、複数種類格納されている。γ補正値データ群において、イメージセンサ１３からの出力信号値と出力画像のγ値に関する補正出力信号値との対応関係は、例えば、図４や図５に示すように設定されている。ここで、図４は、ドロップアウトカラー用のγ補正値データ群におけるイメージセンサ１３からの出力信号値と読み取り画像のγ値に関する補正出力信号値との対応関係を示すグラフであり、図５は、通常のモノクロ画像用のγ補正値データ群におけるイメージセンサ１３からの出力信号値と読み取り画像のγ値に関する補正出力信号値との対応関係を示すグラフを示している。図５に示す通常のモノクロ画像用のγ補正値データ群において、補正出力信号値は、読み取った原稿画像をより忠実に再現するように設定されている。なお、図５に示すように、読み取った原稿画像をより忠実に再現するような補正出力信号値の設定については公知の技術であるため説明を省略する。
【００３９】
図６は、読取部２２における各部について説明するブロック図である。読取部２２は、図６に示すように、読取部２２における各部を駆動制御する読取制御部２９を備えている。読取制御部２９は、Ｒ光源５Ｒ，Ｇ光源５Ｇ，Ｂ光源５Ｂの点灯／消灯順序を指定する点灯順序指定部３０を備えている。点灯順序指定部３０は、読取部２２に設けられた光源駆動部２８を駆動制御する。光源駆動部２８は、点灯順序指定部３０からの出力信号に基づいてＲ光源５Ｒ，Ｇ光源５Ｇ，Ｂ光源５Ｂの点灯／消灯をそれぞれ駆動制御する。
【００４０】
また、読取部２２は、イメージセンサ１３からアナログで出力される電圧値をデジタル画像データにＡ／Ｄ変換するＡ／Ｄ変換部３１を備えている。Ａ／Ｄ変換部３１は、Ａ／Ｄ変換したデジタル画像データを、読取制御部２９が備える画像処理部３２に出力する。
【００４１】
画像処理部３２は、Ａ／Ｄ変換部３１から出力されたデジタル画像データを読取制御部２９が備える画像メモリ３３に格納したり、画像メモリ３３に格納されたデジタル画像データに対して各種画像処理を施したりする。
【００４２】
画像処理部３２が行なう各種画像処理としては、シェーディング補正処理、ＭＴＦ補正処理等が挙げられる。また、画像処理部３２が行なう各種画像処理としては、γ補正処理が挙げられる。なお、シェーディング補正処理、ＭＴＦ補正処理等の画像処理部３２で行なわれる各種画像処理については公知の技術であるため説明を省略する。画像処理部３２は、γ補正処理の実行に際して、後述する出力素子からの出力信号値に応じた補正出力信号値を、上述したγ補正値データ群から取得し、取得したγ補正値を補正後の出力信号値とする。本実施の形態では、γ補正処理に際して参照するγ補正値データ群を後述する出力素子からの出力信号値に応じて異ならせる。
【００４３】
画像処理部３２は、各種画像処理を施したデジタル画像データを、メモリ２６に記憶したり、通信部２３を介して例えばパーソナルコンピュータ等の図示しない外部装置へ出力したりする。
【００４４】
次に、イメージセンサ１３に結像された画像光の処理について説明する。図７は、イメージセンサ１３およびイメージセンサ１３に結像された画像光の処理に関わる各部の構成の一例を示すブロック図である。イメージセンサ１３は、結像レンズ１２を介して結像される原稿Ｐからの反射光（画像光）を電気信号に光電変換し、光電変換によって得られた電気信号を一時的に蓄積する機能を有している。イメージセンサ１３に蓄積される電荷は、各イメージセンサ１３に設けられた出力素子としてのシフト電極３４を介して電荷転送部３５（３５ａ，３５ｂ）に移送される。シフト電極３４が電荷を送り出すタイミングは、シフトパルス発生器３６から発生される波形信号としてのシフトパルスＳＨによって制御される。電荷転送部３５は、原稿Ｐからの反射光量に応じてイメージセンサ１３に蓄積されて、シフト電極３４から送り出された電荷を出力部３７（３７ａ，３７ｂ）に送り出す機能を有している。出力部３７は、電荷転送部３５から送られてきた電荷信号を、電圧に変換する機能を有している。出力部３７によって電圧に変換された電荷信号は、上述の画像処理部３２に出力され、以降の画像処理に供される。
【００４５】
なお、図７では、２つの電荷転送部３５ａおよび３５ｂを有するデュアルチャネルの場合が例示されている。電荷転送部３５ａは奇数画素に関する電荷転送を受け持ち、電荷転送部３５ｂは偶数画素に関する電荷転送を受け持つ。なお、シフトパルス発生器３６から発生されるシフトパルスＳＨ以外のイメージセンサ制御信号（画素クロックやリセットパルス）については、公知の技術であるため説明を省略する。
【００４６】
ところで、本実施の形態では、原稿画像の読み取りに際しての読み取り解像度の設定を可変することができる。読み取り解像度の設定は、例えば、操作部２４における入力操作によって、オペレータが任意に設定することが可能である。本実施の形態のスキャナ装置１では、一定解像度以上の高い読み取り解像度で原稿画像を読み取る高解像度モードと、この高解像度モードよりも低い読み取り解像度で原稿画像を読み取る低解像度モードとを設定することが可能である。なお、本実施の形態では、高解像度モードの設定下では、イメージセンサ１３による読み取りが可能な範囲で最も高い解像度で読み取りが行われる。
【００４７】
例えば、高解像度モードの設定下では、図８に示すように、シフトパルス発生器３６から発生させるシフトパルスＳＨを、全画素において同じ位相として読み取りを行う。一方、低解像度モードの設定下では、図９に示すように、シフトパルス発生器３６から発生させるシフトパルスＳＨの位相を、奇数画素と偶数画素とで半周期ずらして読み取りを行う。本実施の形態では、このように、シフトパルス発生器３６から発生させるシフトパルスＳＨの位相を調整することにより、出力タイミング制御手段としての機能が実現される。
【００４８】
次に、スキャナ装置１が実行するドロップアウトカラー画像の除去を含む読み取り動作について説明する。本実施の形態では、図１０に示すような原稿画像を読み取り対象とする。図１０に示す原稿Ｐは、文字Ｗが黒色で、文字Ｗを囲む枠線Ｆが黄色で形成された画像である。また、図１０中、矢印Ｓは、副走査方向を示しており、この副走査方向に直交する方向が主走査方向である。
【００４９】
通常の原稿画像の読み取り動作は、操作部２４のスタートキーを操作することによって開始される。
【００５０】
ここで、読み取った原稿画像からドロップアウトカラー画像の除去を含む原稿画像の読み取り動作を行なう場合、ユーザは、スタートキーの操作に先立って、操作部２４の操作によってドロップアウトカラーを指定する。指定されたドロップアウトカラーは、ドロップアウトカラー情報としてメモリ２６のカラー記憶部に記憶される。
【００５１】
本実施の形態では、ユーザの操作により、枠線Ｆの黄色がドロップアウトカラーとして指定された状態でスタートキーが操作されたものとする。
【００５２】
スタートキーが操作されると、メモリ２６のカラー記憶部に記憶したドロップアウトカラー情報を、点灯順序指定部３０に出力する。ここに、ドロップアウトカラー指定手段としての機能が実現される。
【００５３】
点灯順序指定部３０は、出力されたドロップアウトカラー情報に基づいて点灯順序（発光順序）を決定し、決定した点灯順序情報を光源部駆動部２８に出力する。点灯順序指定部３０は、例えば、図１１に示すような点灯順序を決定する。本実施の形態において、点灯順序指定部３０は、後述するドロップアウトカラー画像の除去を含む原稿画像の読み取り動作に際して、原稿画像と光源部５とが副走査方向に沿って主走査方向の１ライン分に相当する距離を相対移動する間に、異なる複数色の光を発光させるように点灯順序（発光順序）を決定する。なお、図１１に示す点灯順序は、あくまで一例であり、点灯順序指定部３０が指定する点灯順序はこれに限るものではない。
【００５４】
図１１は、点灯順序指定部３０によって決定されて、光源部駆動部２８が光源部５における各光源５Ｒ，５Ｇ，５Ｂを駆動する際の点灯順序を例示している。本実施の形態では、ドロップアウトカラーが黄色に指定されているため、点灯順序指定部３０には、Ｒ光源５ＲとＧ光源５Ｇとの点灯順序が決定されている。ここに、順序指定手段としての機能が実現される。
【００５５】
光源部駆動部２８は、第１キャリッジ７の移動によって光源部５が副走査方向に沿って主走査方向の１ライン分に相当する距離を移動する毎に、図６に示すように指定された点灯順序にしたがって、Ｒ光源５ＲとＧ光源５Ｇとを切り替えて点灯させる。ここに、発光色切替手段としての機能が実現される。
【００５６】
画像処理部３２は、Ｒ光源５Ｒ点灯時にイメージセンサ１３から出力されるアナログ画像データと、Ｇ光源５Ｇ点灯時にイメージセンサ１３から出力されるアナログ画像データと、に基づいて、Ｒ光とＧ光とから生成される黄色の枠線Ｆ部分を除去したモノクロ画像Ｐ’（図１２参照）を生成する。ここに、モノクロ画像生成手段としての機能が実現される。ここで、黄色は赤と緑とを合成して得られる補色である。Ｒ光源５ＲおよびＧ光源５Ｇを点灯させることにより得られる画像に基づいて黄色の枠線Ｆ部分を除去したモノクロ画像Ｐ’を得る技術ついては公知の技術であるため説明を省略する。
【００５７】
ところで、本実施の形態のスキャナ装置１は、上述したように、操作部２４における操作によって、高解像度モードまたは低解像度モードを設定することが可能であり、設定された解像度モードに応じて異なる動作を行う。
【００５８】
例えば、高解像度モードが設定されている場合、シフトパルス発生器３６は、上述したように、光源部５における発光色の切り替えタイミングに応じて、図８に示すようなタイミングでシフトパルスＳＨを発生させる。これにより、全ての受光素子１３ａおよび１３ｂからの出力値は、Ｒ光源５Ｒによって露光された画像光と、Ｇ光源５Ｇによって露光された画像光とが加色混合された出力値となる。図８に示すようなタイミングでシフトパルスＳＨを発生させ、このシフトパルスＳＨの発生タイミングに応じてシフト電極３５からの出力タイミングを制御した場合、シフト電極３４からの出力信号の出力タイミングは、図１３に示すようになる。図１３からも判るように、高解像度モード設定下での原稿画像の読み取りに際しては、全てのシフト電極３５から出力される出力信号が加色混合信号となる。ここで、図１４は、高解像度モードの設定下での読み取りに際しての各画素の読取位置および各読取位置における露光色を示している。図１４からも判るように、高解像度モード設定下での原稿画像の読み取りに際しては、全ての画素から出力される出力信号が加色混合信号となるため、従来の画像読取装置と同じ動作をすることとなる。
【００５９】
一方で、例えば、低解像度モードが設定されている場合、シフトパルス発生器３６は、図９に示すようなタイミングでシフトパルスＳＨを発生させる。これにより、奇数番目に配列された受光素子１３ａからの出力はＲ光源５Ｒによって露光された画像光と、Ｇ光源５Ｇによって露光された画像光とが加色混合された出力値となるが、偶数番目に配列された受光素子１３ｂからの出力はＲ光源５Ｒによって露光された画像光またはＧ光源５Ｇによって露光された画像光が、１ライン毎に交互に出力される。図９に示すようなタイミングでシフトパルスＳＨを発生させた場合、シフト電極３５ａ，３５ｂによる出力信号の出力タイミングは、図１５に示すようになる。すなわち、図１５に示すように、低解像度モードの設定下での読み取りに際しては、奇数番目に配列された受光素子１３ａ出力される出力信号は、Ｒ光源５Ｒによって露光された画像光とＧ光源５Ｇによって露光された画像光とが加色混合された出力信号値となるが、偶数番目に配列された受光素子１３ｂから出力される出力信号値はＲ光源５Ｒによって露光された画像光またはＧ光源５Ｇによって露光された画像光が交互に出力される。
【００６０】
なお、Ｒ光源５Ｒによって露光された画像光とＧ光源５Ｇによって露光された画像光とを、１ライン毎に交互に出力するようにしてもよいが、本実施の形態では、点灯順序指定部３０によって、原稿画像と光源部５とが副走査方向に沿って主走査方向の１ライン分に相当する距離を相対移動する間に、異なる複数色の光を発光させるように設定されているため、シフトパルス発生器３６から発生させるシフトパルスＳＨおよび発光色の切り替えタイミングを調整することで、原稿画像と光源部５とが副走査方向に沿って主走査方向の１ライン分に相当する距離を相対移動する間に、異なる複数色の画像光を得ることができる。
【００６１】
なお、図１６は、低解像度モードの設定下での読み取りに際しての各画素の読取位置および各読取位置における露光色を示している。図１６からも判るように、低解像度モード設定下での原稿画像の読み取りに際しては、奇数画素からは原稿の輝度情報を取得することができ、偶数画素からは原稿の色情報を取得することができる。
【００６２】
本実施の形態のスキャナ装置１では、低解像度モードの設定下での原稿画像の読み取りに際し、イメージセンサに結像された画像光に基づく出力信号のγ値を下記のように補正する。読み取り画像のγ値の補正に際しては、イメージセンサに結像された画像光の強度が、予め設定された規定閾値よりも大きいか小さいかによって参照するγ補正値データ群を異ならせ、ドロップアウトカラー用のγ補正値データ群、または、通常のモノクロ画像用のγ補正値データ群のいずれか一方を参照し、各γ補正値データ群から取得されるγ補正値を当該画像光に基づく出力信号として取得する。ここに、γ補正値取得手段としての機能が実現される。
【００６３】
ここでは、Ｒ光源５Ｒによって露光された画像光に基づく出力とＧ光源５Ｇによって露光された画像光に基づく出力とが閾値以上の領域を、原稿Ｐの地肌またはドロップアウトカラーにより画像が形成された領域と判断し、例えば、ドロップアウトカラー用γテーブルを適用する。またそれ以外の領域については、通常モノクロ読取用γテーブルを適用する。
【００６４】
なお、γテーブルは、偶数画素から出力される出力値に対して補正を行う場合にのみ使用される。また、奇数画素の出力に対していずれか一方のγテーブルを適用し画像を形成する。
【００６５】
このように、本実施の形態のスキャナ装置１によれば、原稿画像の読み取り動作に際して、原稿画像と光源部５とが副走査方向に主走査方向の１ライン分に相当する距離を相対移動する毎に、光源部５から発光する光の色を、ドロップアウトカラーに基づいて指定された発光色で指定された発光順序にしたがって切り替え、各発光色で露光された原稿からの反射光をイメージセンサ１３における各受光素子１３ａおよび１３ｂで受光し、受光した画像光に応じてシフト電極３４ａ，３４ｂから出力される出力信号に基づいて、指定されたドロップアウトカラーによって形成された画像を除去したモノクロ画像を生成するが、発光色の切り替えに応じて、シフト電極３４ａ，３４ｂが出力する出力信号の出力タイミングをシフト電極３４ａ，３４ｂ毎に調整することで、例えば、異なる複数の発光色で露光された画像光を加色混合した出力信号をシフト電極３４ａ，３４ｂから出力したり、単一の発光色で露光された画像光に応じた出力信号をシフト電極３４ａ，３４ｂから出力したりすることができ、加色混合された出力信号から輝度情報を得るとともに単一の発光色で露光された画像光に応じた出力信号から色情報を得ることで、単純にモノクロ画像を得るための通常の読み取り動作と同じ速度で、読み取った原稿画像からドロップアウトカラー画像を正確に除去することができる。
【００６６】
また、本実施の形態のスキャナ装置１によれば、波形信号であるシフトパルスＳＨに基づき出力信号を出力するシフト電極３４ａ，３４ｂに対して、シフトパルスＳＨの位相をシフト電極３４ａ，３４ｂ毎に異ならせることでシフト電極３４ａ，３４ｂが出力する画像光の出力タイミングをシフト電極３４ａ，３４ｂ毎に調整することにより、実用上容易かつ正確に、シフト電極３４ａ，３４ｂが出力する画像光の出力タイミングをシフト電極３４ａ，３４ｂ毎に調整することができる。
【００６７】
また、本実施の形態のスキャナ装置１によれば、低解像度設定がなされている場合には、単純にモノクロ画像を得るための通常の読み取り動作と同じ速度であっても、異なる複数の発光色で露光された画像光を加色混合した出力信号と単一の発光色で露光された画像光に応じた出力信号とを出力させることができ、単純にモノクロ画像を得るための通常の読み取り動作と同じ速度で、読み取った原稿画像からドロップアウトカラー画像を正確に除去することができる。
【００６８】
また、本実施の形態のスキャナ装置１によれば、単一の発光色で露光された画像光を、原稿画像と光源部５とが副走査方向に沿って主走査方向の１ライン分に相当する距離を相対移動する間に複数色分得ることができ、原稿Ｐを単一の発光色で切り替えて露光する場合にも、原稿画像と光源部５とが副走査方向に沿って主走査方向の１ライン分に相当する距離を相対移動する間に複数色分の画像を得ることができるので、画像品質の低下を抑制することができる。
【００６９】
なお、本実施の形態では、各種操作キーを有する操作部２４として説明したが、これに限るものではなく、ドロップアウトカラーの指定に際しての設定状態や操作ガイダンス等を表示するＬＣＤ等の表示部を有する操作部としてもよい。これにより、指定したドロップアウトカラーを表示画面に表示させることができるので、設定ミス等を防止し、より使い勝手のよいスキャナ装置を提供することができる。
【００７０】
次に、本発明の第２の実施の形態について図１７および図１８を参照して説明する。本実施の形態は、複写装置としてデジタル複写機への適用例を示す。
【００７１】
図１８は、本実施の形態のデジタル複写機を示す縦断側面図である。デジタル複写機４０は、スキャナ装置１と、スキャナ装置１で生成したモノクロ画像データに基づくモノクロ画像を記録媒体４１に形成する画像形成装置としてのレーザプリンタ４２とを備えている。
【００７２】
レーザプリンタ４２のハウジング４３には、シート状の記録媒体４１を積層状態で収納する給紙カセット４４が設けられている。
【００７３】
ハウジング４３内には、給紙カセット４４から電子写真方式のプリンタエンジン４５や定着装置４６を経由して排紙トレイ４７に至る媒体経路４８が設けられている。給紙カセット４４に収納された記録媒体４１のうち最上位の１枚は、給紙コロ４４ａによって媒体経路４８に給送され、図示しない搬送ローラ等によって媒体経路４８中を搬送される。
【００７４】
プリンタエンジン４５は、円筒状に形成されて軸心周りに回転自在とされた光導電性の感光体４９や、感光体４９の周囲に配設された帯電ローラ５０、露光装置５１、現像装置５２、転写ローラ５３、クリーニング装置５４等を有している。
【００７５】
帯電ローラ５０は、外周面を感光体４９表面に接触させて配設されており、感光体４９との間に帯電電圧を印加することによって感光体４９表面を帯電させる。なお、本実施の形態では、感光体４９表面に接触する帯電ローラ５０を用いたが、これに限るものではなく、例えば、コロナ放電方式によって感光体４９表面を非接触帯電させるコロナチャージャ等であってもよい。
【００７６】
露光装置５１は、レーザ光を発光する光源部や発光したレーザ光で感光体４９表面を露光走査する光学部材（いずれも図示せず）を備えており、スキャナ装置１で生成したモノクロ画像データに基づいて感光体４９表面を露光走査することで静電腺像を形成する。
【００７７】
現像装置５２は、現像スリーブ５２ａの動作によって、ケース５２ｂ内に保持されたトナーを感光体４９表面に供給することにより、露光装置５１によって感光体４９表面に形成された静電潜像を顕像化する。
【００７８】
転写ローラ５３は、感光体４９との間に転写電圧を印加することにより、感光体４９表面に付着するトナーを、レジストローラ対５５によってタイミング調整されて搬送された記録媒体４１に転写する。
【００７９】
定着装置４６は、トナー像が転写された記録媒体４１に対して加熱および加圧することにより、該記録媒体４１にトナー像を定着させる。トナー像定着後の記録媒体４１は、排紙トレイ４７上に排出される。
【００８０】
クリーニング装置５４は、トナー像を転写した後の感光体４９の表面に残存する残留トナーや紙粉等を除去することにより、感光体４９表面をクリーニングする。
【００８１】
また、本実施の形態では、感光体４９表面に形成したトナー像を記録媒体４１に直接転写するようにしたが、これに限るものではなく、例えば、感光体４９表面に形成したトナー像を図示しない中間転写ベルト等の中間転写媒体を介して記録媒体４１に転写するようにしてもよい。
【００８２】
図１８は、デジタル複写機４０が備える各部の電気的接続を示すブロック図である。デジタル複写機４０のバスラインには、プリンタエンジン４５等のレーザプリンタ４２が備える各部を駆動制御する書込部５６が接続されている。書込部５６は、制御部２０から出力される書き込み指示等に応じてプリンタエンジン４５等を駆動制御する。
【００８３】
本実施の形態のデジタル複写機４０は、スキャナ装置１で生成されたモノクロ画像データに基づくモノクロ画像を記録媒体４１に形成するので、単純にモノクロ画像を得るための通常の読み取り動作と同じ速度で、読み取った原稿画像からドロップアウトカラー画像を正確に除去したモノクロ画像を記録媒体４１に形成することができる。
【００８４】
次に、本発明の第３の実施の形態について図１９および図２０を参照して説明する。本実施の形態のスキャナ装置１は、パーソナルコンピュータ等のようにユーザとの間でのインターフェイスを備える外部装置と接続して使用される。
【００８５】
ここで、図１９は、スキャナ装置１に接続されるパーソナルコンピュータを概略的に説明するブロック図である。パーソナルコンピュータ６０は、各種演算を行ないパーソナルコンピュータ６０が備える各部を駆動制御する制御部６１を備えている。制御部６１は、パーソナルコンピュータ６０が備える各部を駆動制御するＣＰＵ６２、ＢＩＯＳやＯＳおよびその他の制御プログラムを記憶するＲＯＭ６３、可変的なデータを書き換え自在に記憶しＣＰＵ６２のワークエリアとして機能するＲＡＭ６４、および、ＨＤＤ６５等の外部記憶装置等をバスライン６６を介して接続することにより構成されている。
【００８６】
バスライン６６には、例えば、キーボードやマウス等の入力装置６７や、ＬＣＤ等の表示装置６８等が接続されている。表示装置６８の表示部には、図２０に示すような設定画面７０が表示される。設定画面７０には、原稿画像の読み取り動作に際して、ドロップアウトカラー画像の除去を行なうか否かを設定するボックス７０ａや、ドロップアウトカラーを指定するボックス７０ｂに加えて、原稿画像の読み取り解像度を設定するボックス７０ｅが表示されている。また、設定画面７０には、これらの各種ボックス７０ａ，７０ｂ，７０ｅにより設定された内容にしたがった原稿画像の読み取り動作の開始を宣言する「読み取り」キー７０ｃや原稿画像の読み取り動作のキャンセルを宣言する「キャンセル」キー７０ｄ等が表示されている。
【００８７】
操作者は、この設定画面７０が表示されている状態で、入力装置６７を操作することにより、原稿画像の読み取り動作に際してドロップアウトカラー画像の除去を行なうか否かを設定し、行なう場合はそのドロップアウトカラーを指定することができる。
【００８８】
なお、図２０では、原稿画像の読み取り動作に際してドロップアウトカラー画像の除去を行ない、そのドロップアウトカラーが黄色に設定されており、読み取り解像度が低解像度モードに設定されている状態を示している。
【００８９】
加えて、パーソナルコンピュータ６０は、スキャナ装置１との間でデータ通信を行なうインターフェイス６９を備えている。入力装置６７の操作により設定画面７０中で設定された情報は、図１６に示す「読み取り」キー７０ｃが操作される（例えば、クリックされる）と、インターフェイス６９を介してスキャナ装置１へ出力される。
【００９０】
スキャナ装置１は、パーソナルコンピュータ６０から出力された情報を受信すると、受信した情報に応じて、原稿画像の読み取り動作を行なう。
【００９１】
本実施の形態によれば、ドロップアウトカラー画像の除去を含む原稿画像の読み取り動作を行なうための格別な操作部や表示部等をスキャナ装置１に設けることなく、上述した実施の形態と同様の効果を得ることができる。
【００９２】
なお、本実施の形態では、第１の実施の形態のスキャナ装置１でも設定画面７０について説明したが、これに限るものではなく、ドロップアウトカラー画像の除去を行なう領域を指定できるような画面を表示させてもよい。
【００９３】
【発明の効果】
請求項１記載の発明の画像読取装置によれば、原稿画像の読み取り動作に際して、原稿画像と光源部とが副走査方向に主走査方向の１ライン分に相当する距離を相対移動する毎に、光源部から発光する光の色を、ドロップアウトカラーに基づいて指定された発光色で指定された発光順序にしたがって切り替え、各発光色で露光された原稿からの反射光を受光部における各受光素子で受光し、受光した画像光に応じて出力素子から出力される出力信号に基づいて、指定されたドロップアウトカラーによって形成された画像を除去したモノクロ画像を生成するが、発光色の切り替えに応じて、出力素子が出力する出力信号の出力タイミングを出力素子毎に調整することで、例えば、異なる複数の発光色で露光された画像光を加色混合した出力信号を出力素子から出力したり、単一の発光色で露光された画像光に応じた出力信号を出力したりすることができ、加色混合された出力信号から輝度情報を得るとともに単一の発光色で露光された画像光に応じた出力信号から色情報を得ることで、単純にモノクロ画像を得るための通常の読み取り動作と同じ速度で、読み取った原稿画像からドロップアウトカラー画像を正確に除去することができる。
【００９４】
請求項２記載の発明によれば、請求項１記載の画像読取装置において、実用上容易かつ正確に出力素子が出力する画像光の出力タイミングを出力素子毎に調整することができる。
【００９５】
請求項３記載の発明によれば、請求項１または２記載の画像読取装置において、低解像度設定がなされている場合には、単純にモノクロ画像を得るための通常の読み取り動作と同じ速度であっても、異なる複数の発光色で露光された画像光を加色混合した出力信号と単一の発光色で露光された画像光に応じた出力信号とを出力させることができ、単純にモノクロ画像を得るための通常の読み取り動作と同じ速度で、読み取った原稿画像からドロップアウトカラー画像を正確に除去することができる。
【００９６】
請求項４記載の発明によれば、請求項１，２または３記載の画像読取装置において、単一の発光色で露光された画像光を、原稿画像と光源部とが副走査方向に沿って主走査方向の１ライン分に相当する距離を相対移動する間に、複数色分得ることができ、原稿を単一の発光色で切り替えて露光する場合にも、画像品質の低下を抑制することができる。
【００９７】
請求項５記載の発明によれば、請求項１，２、３または４記載の画像読取装置において、原稿の地肌部分またはドロップアウトカラーで形成された画像であると判断される値を所定閾値に設定することにより、ドロップアウトカラーで形成された画像に対するγ補正とそれ以外の画像に対するγ補正とをそれぞれ別個に行うことができ、これによって、ドロップアウトカラーを除去した画像の品質向上を図ることができる。
【００９８】
請求項６記載の発明の複写装置によれば、請求項１ないし５のいずれか一に記載の画像読取装置によってドロップアウトカラー画像を除去したモノクロ画像データに基づく画像を、記録媒体に形成することができる。
【図面の簡単な説明】
【図１】本発明の第１の実施の形態のスキャナ装置を概略的に示す縦断側面図である。
【図２】光源部について説明する模式図である。
【図３】スキャナ装置が備える各部の電気的接続を示すブロック図である。
【図４】高解像度モード設定下における読み取り動作のタイミングを例示するタイミングチャートである。
【図５】図８および図９は、本発明における読み取り動作のタイミングの一例を示した図である。
【図６】読取部における各部について説明するブロック図である。
【図７】イメージセンサおよびその制御部の構成の一例を示すブロック図である。
【図８】高解像度モード設定下における読み取り動作のタイミングを例示するタイミングチャートである。
【図９】低解像度モード設定下における読み取り動作のタイミングを例示するタイミングチャートである。
【図１０】原稿画像を説明する平面図である。
【図１１】点灯順序指定部によって決定されて、光源部駆動部が光源部における各光源部を駆動する際の点灯順序を示す説明図である。
【図１２】ドロップアウトカラー画像除去後の画像を説明する平面図である。
【図１３】高解像度モード設定下におけるシフト電極からの出力信号の出力タイミング、各光源からの発光タイミング、および、読み取りタイミングを示すタイミングチャートである。
【図１４】高解像度モードの設定下での読み取りに際しての各画素の読取位置および各読取位置における露光色を示す説明図である。
【図１５】低解像度モード設定下におけるシフト電極からの出力信号の出力タイミング、各光源からの発光タイミング、および、読み取りタイミングを示すタイミングチャートである。
【図１６】低解像度モードの設定下での読み取りに際しての各画素の読取位置および各読取位置における露光色を示す説明図である。
【図１７】本発明の第２の実施の形態のデジタル複写機を示す縦断側面図である。
【図１８】デジタル複写機が備える各部の電気的接続を示すブロック図である。
【図１９】本発明の第３の実施の形態のスキャナ装置に接続されるパーソナルコンピュータを概略的に説明するブロック図である。
【図２０】設定画面を例示する正面図である。
【図２１】ラインセンサの画素間での出力比を例示する説明図である。
【符号の説明】
１      画像読取装置
５      光源部
１１      移動装置
１３ａ，１３ｂ    受光素子
１３      受光部
３５      出力素子
４０      複写装置
４２      画像形成装置
【図１】
2004328159.tif 000003
【図２】
2004328159.tif 000004
【図３】
2004328159.tif 000005
【図４】
2004328159.tif 000006
【図５】
2004328159.tif 000007
【図６】
2004328159.tif 000008
【図７】
2004328159.tif 000009
【図８】
2004328159.tif 000010
【図９】
2004328159.tif 000011
【図１０】
2004328159.tif 000012
【図１１】
2004328159.tif 000013
【図１２】
2004328159.tif 000014
【図１３】
2004328159.tif 000015
【図１４】
2004328159.tif 000016
【図１５】
2004328159.tif 000017
【図１６】
2004328159.tif 000018
【図１７】
2004328159.tif 000019
【図１８】
2004328159.tif 000020
【図１９】
2004328159.tif 000021
【図２０】
2004328159.tif 000022
【図２１】
2004328159.tif 000023